(57)【特許請求の範囲】
【請求項１】
室内の壁面上部に取り付けて、前面を覆うフロントパネルに設けた吸込口から取り入れた空気を調和して通路を介して下部に設けた吹出口から下方乃至上方に切り替えて送出する空気調和機において、
前記吸込口を前記吹出口よりも上方の前面側に配置し、
該吸込口を開閉する開閉部材と、
室内温度と設定温度との温度差を検知する温度検知手段と、
前記吹出口の上部に設けられ、前記吹出口の上部を開閉する回動板と、
前記吹出口の下部に設けられ、風向を変更する風向板と、
を備え、
前記通路は、前方へ行くにしたがって下方に傾斜した第１上壁および下壁と、第１上壁の前方に連続して前記吹出口近傍で前方へ行くほど上方になるように傾斜した第２上壁とを有し、
空気調和機の冷房運転または除湿運転の開始時には、前記開閉部材が前記吸込口を開放するとともに前記回動板が前記吹出口の上部を閉塞して前記吹出口の下部から下方に向けて調和空気を送出し、
室内温度と設定温度との温度差が運転開始時よりも小さくなったことを前記温度検知手段が検知すると、空気の送風量を運転開始時よりも低下させて前記開閉部材により前記吸込口を閉塞し、前記回動板によって前記吹出口の上部を開放するとともに前記風向板によって第１上壁と前記下壁との間を流通する気流の進行方向前方を閉塞し、
前記吹出口の上部から調和空気を上方に向けて送出して前記フロントパネルの前面を通過させることを特徴とする空気調和機。
【請求項２】
前記開閉部材は前記吸込口を覆うように設けられていることを特徴とする請求項１に記載の空気調和機。
【請求項３】
前記開閉部材は前記フロントパネルを覆うように設けられていることを特徴とする請求項１に記載の空気調和機。
【請求項４】
前記開閉部材に断熱材を設けたことを特徴とする請求項１〜請求項３のいずれかに記載の空気調和機。
【発明の詳細な説明】
【０００１】
【発明の属する技術分野】
本発明は、周囲の空気を取り込んで調和した空気を送出する空気調和機に関する。
【０００２】
【従来の技術】
図１１は従来の空気調和機の室内機を示す概略側面断面図である。空気調和機の室内機１は、キャビネット２により本体部が保持されており、キャビネット２には上面側と前面側に吸込口４ａ、４ｃが設けられたフロントパネル３が着脱自在に取り付けられている。キャビネット２は後方側面に爪部（不図示）が設けられており、室内の壁に取り付けられた取付板に該爪部を嵌合することにより支持される。
【０００３】
フロントパネル３の下端部とキャビネット２の下端部との間隙には、室内機１の幅方向に延びる略矩形の吹出口５が形成されている。室内機１の内部には、吸込口４ａ、４ｃから吹出口５に連通する送風経路６が形成されている。送風経路６内には空気を送出する送風ファン７が配されている。送風ファン７として、例えばクロスフローファン等を用いることができる。
【０００４】
フロントパネル３に対向する位置には、吸込口４ａ、４ｃから吸い込まれた空気に含まれる塵埃を捕集・除去するエアフィルタ８が設けられている。送風経路６中の送風ファン７とエアフィルタ８との間には、室内熱交換器９が配置されている。室内熱交換器９は圧縮機（不図示）に接続されており、圧縮機の駆動により冷凍サイクルが運転される。冷凍サイクルの運転によって冷房時には室内熱交換器９が周囲温度よりも低温に冷却される。また、暖房時には、室内熱交換器９が周囲温度よりも高温に加熱される。
【０００５】
室内熱交換器９の前後の下部には冷房または除湿時に室内熱交換器９から落下した結露を捕集するドレンパン１０が設けられている。送風経路６内の吹出口５の近傍には、外部に臨んで垂直方向の吹出角度を略水平乃至下方向に変更可能な横ルーバ１１ａ、１１ｂが設けられている。横ルーバ１１ａ、１１ｂの奥側には左右方向の吹出角度を変更可能な縦ルーバ１２が設けられている。
【０００６】
上記構成の空気調和機において、空気調和機の運転を開始すると、送風ファン７が回転駆動され、室外機（不図示）からの冷媒が室内熱交換器９へ流れて冷凍サイクルが運転される。これにより、室内機１内には吸込口４ａ、４ｃから空気が吸い込まれ、エアフィルタ８によって空気中に含まれる塵埃が除去される。
【０００７】
室内機１内に取り込まれた空気は室内熱交換器９と熱交換し、冷却または加熱される。そして、送風経路６を通って縦ルーバ１２及び横ルーバ１１ａ、１１ｂによって左右方向及び上下方向に向きを規制されて吹出口５から下方に向けて室内に送出される。
【０００８】
また、空気調和機の運転の開始直後は速やかに室内の空気を循環させる必要がある。このため、送風ファン７の回転速度を高くして室内熱交換器９で熱交換された空気は吹出口５から勢いよく送出される。そして、室温と設定温度との温度差が小さくなると、送風ファン７の調整により徐々に送風量が低下する。これにより、きめ細かに室内が均一な温度分布に形成されるようになっている。
【０００９】
【発明が解決しようとする課題】
しかしながら、上記の従来の空気調和機によると、空気調和機は通常、使用者の身長よりも高い位置に設置され、吹出口５から略水平方向乃至下方向に送風される。このため、設定温度付近に達した状態で送風を継続すると使用者に常に冷たい風や暖かい風が当たることになる。従って、使用者に不快感を与える問題があった。また、除湿運転時や冷房運転時では局所的に使用者の体温を低下させて健康に害を与える問題もあった。
【００１０】
これらの問題を解決するために、吹出口から上方に調和空気を送出できる空気調和機が研究開発されている。図１２はこの空気調和機の室内機を示す概略側面断面図であり、図１１と同一の部分には同一の符号を付している。室内機１の吹出口５は第１開口部５ａと第２開口部５ｂとを有している。第１開口部５ａは送風経路６の終端に下方に臨んで配されている。第２開口部５ｂは送風経路６から上方に傾斜して分岐する分岐通路１３により送風経路６と連通している。分岐通路１３の両端には、回動軸１４ａ、１５ａでフロントパネル３に枢支される回動板１４、１５が設けられている。
【００１１】
空気調和機の運転を開始すると、吸込口４ａ、４ｃから室内機１内に取り込まれた空気は室内熱交換器９と熱交換し、冷却または加熱される。そして、送風経路６を通って縦ルーバ１２及び横ルーバ１１ａ、１１ｂによって左右及び上下方向に向きを規制されて吹出口５から矢印Ａ１に示すように第１開口部５ａから略水平方向乃至下方向に向けて室内に送出される。
【００１２】
また、空気調和機の運転の開始直後は速やかに室内の空気を循環させる必要がある。このため、送風ファン７の回転速度を高くして室内熱交換器９で熱交換された空気は吹出口５から勢いよく送出される。室温と設定温度との温度差が小さくなったことを温度センサ（不図示）により検知すると、送風ファン７の調整により徐々に送風量が低下する。
【００１３】
そして、図１３に示すように、横ルーバ１１ａ、１１ｂが回動して第１開口部５ａが閉塞される。同時に、回動板１４、１５が回動して第２開口部５ｂ及び分岐通路１３の分岐部分が開放される。これにより、送風経路６を流通する調整空気が分岐通路１３を流通して第２開口部５ｂから送出され、矢印Ａ２に示すように上方に導かれる。
【００１４】
従って、使用者に常に冷たい風や暖かい風が当たることがなく、使用者の不快感を防止して快適性を向上することができる。更に、冷房時には局所的に使用者の体温を低下させることがなく健康上の安全性を向上することができるようになっている。
【００１５】
しかしながら、上記の空気調和機によると、第２開口部５ｂから上方に送出された調和空気が、矢印Ａ３に示すようにフロントパネル３に設けられた吸込口４ｃから室内機１内に取り込まれ、所謂ショートサーキットが生じる。このため、空気調和機の冷却効率または暖房効率を低下させる問題があった。
【００１６】
更に、冷房運転時や除湿運転時には第２開口部５ｂから送出された冷気が室内熱交換器９を通過するため、室内熱交換器９内の冷媒は充分な熱を吸収することができない。このため、室内熱交換器９の温度が通常時に比して低下して結露の増加及び結露水の凍結が発生する。
【００１７】
冷房運転または除湿運転を継続すると室内熱交換器９の表面に氷が成長し、室内熱交換器９から離れた位置の氷は低温に維持されずに一部が解ける。この解けた水滴は送風ファン７に滴下すると第２開口部５ｂから室内に放出される。また、室内熱交換器９の温度が低下してキャビネット２やフロントパネル３の表面が結露して結露水が滴下する。これらにより、室内が浸水する問題があった。また、室内熱交換器９の表面に成長した氷の押圧力によってキャビネット２やフロントパネル３等に破損や変形が発生する問題もあった。
【００１８】
本発明は、快適性の向上及び健康上の安全性の向上を図ることができるとともに、冷却効率を向上することのできる空気調和機を提供することを目的とする。また、本発明は、ショートサーキットを防止して結露による室内の浸水及び空気調和機の破損や変形を防止することのできる空気調和機を提供することを目的とする。
【００１９】
【課題を解決するための手段】
上記目的を達成するために本発明は、室内の壁面上部に取り付けて、前面を覆うフロントパネルに設けた吸込口から取り入れた空気を調和して通路を介して下部に設けた吹出口から下方乃至上方に切り替えて送出する空気調和機において、
前記吸込口を前記吹出口よりも上方の前面側に配置し、
該吸込口を開閉する開閉部材と、
室内温度と設定温度との温度差を検知する温度検知手段と、
前記吹出口の上部に設けられ、前記吹出口の上部を開閉する回動板と、
前記吹出口の下部に設けられ、風向を変更する風向板と、
を備え、
前記通路は、前方へ行くにしたがって下方に傾斜した第１上壁および下壁と、第１上壁の前方に連続して前記吹出口近傍で前方へ行くほど上方になるように傾斜した第２上壁とを有し、
空気調和機の冷房運転または除湿運転の開始時には、前記開閉部材が前記吸込口を開放するとともに前記回動板が前記吹出口の上部を閉塞して前記吹出口の下部から下方に向けて調和空気を送出し、
室内温度と設定温度との温度差が運転開始時よりも小さくなったことを前記温度検知手段が検知すると、空気の送風量を運転開始時よりも低下させて前記開閉部材により前記吸込口を閉塞し、前記回動板によって前記吹出口の上部を開放するとともに前記風向板によって第１上壁と前記下壁との間を流通する気流の進行方向前方を閉塞し、
前記吹出口の上部から調和空気を上方に向けて送出して前記フロントパネルの前面を通過させることを特徴としている。
【００２１】
この構成によると、空気調和機を運転すると、開閉部材の開放により空気調和機の前面側に設けた吸込口から取り込まれた空気が調和されて吹出口から下方に送出される。室内温度と設定温度との温度差が運転開始時よりも小さくなると吹出口から上方に向けて送出される。ここで、上方に向けて送出される際に開閉部材により前面側の吸込口を閉じるので、上方に送出された調和空気は、空気調和機の前面側から取り込まれることなく室内に流通する。尚、空気調和機の前面側という場合には正面から視認できる傾斜面や曲面が含まれる。
【００２３】
また本発明は、上記各構成の空気調和機において、前記開閉部材は前記吸込口を覆うように設けられていることを特徴としている。
【００２４】
また本発明は、上記各構成の空気調和機において、前記開閉部材は前記フロントパネルを覆うように設けられていることを特徴としている。
【００２５】
また本発明は、上記各構成の空気調和機において、前記開閉部材に断熱材を設けたことを特徴としている。この構成によると、開閉部材を閉じた際に空気調和機に取り込まれた空気と、吹出口から上方に送出されて開閉部材の表面を通る空気との温度差による結露が防止される。
【００２７】
【発明の実施の形態】
以下に本発明の実施形態を図面を参照して説明する。説明の便宜上、従来例の図１２、図１３と同様の部分については同一の符号を付している。図１は第１実施形態の空気調和機の室内機を示す概略側面断面図である。空気調和機の室内機１は、キャビネット２により本体部が保持されている。
【００２８】
キャビネット２の前面側には、本体部を覆うようにフロントパネル３が着脱自在に取り付けられている。フロントパネル３の上面側には吸込口４ａが設けられており、前面側には吸込口４ｃが設けられている。吸込口４ｃは、回動軸１９ａによりフロントパネル３に枢支された複数の開閉板１９の回動により開閉可能になっている。
【００２９】
キャビネット２は後方側面に爪部（不図示）が設けられており、室内の壁に取り付けられる取付板に該爪部を嵌合することにより支持される。フロントパネル３の下端部とキャビネット２の下端部との間隙には、室内機１の幅方向に延びる略矩形の第１、第２開口部５ａ、５ｂから成る吹出口５が形成されている。
【００３０】
室内機１の内部には、吸込口４ａ、４ｃから吹出口５に連通する送風経路６が形成されている。送風経路６内のキャビネット２の前方には空気を送出する送風ファン７が配されている。送風ファン７として、例えばクロスフローファン等を用いることができる。
【００３１】
フロントパネル３に対向する位置には、吸込口４ａ、４ｃから吸い込まれた空気に含まれる塵埃を捕集・除去するエアフィルタ８が設けられている。送風経路６中の送風ファン７とエアフィルタ８との間には、室内熱交換器９が配置されている。フロントパネル３と室内熱交換器９との間には所定間隔の空間が設けられており、吸込口４ａ、４ｃから取り入れられた空気が該空間を通って室内熱交換器９と広い面積で接触するようになっている。
【００３２】
室内熱交換器９は圧縮機（不図示）に接続されており、圧縮機の駆動により冷凍サイクルが運転される。冷凍サイクルの運転によって、冷房時には室内熱交換器９が周囲温度よりも低温に冷却される。暖房時には、室内熱交換器９が周囲温度よりも高温に加熱される。尚、室内熱交換器９とエアフィルタ８との間には吸い込まれた空気の温度を検知する温度センサ（不図示）が設けられている。
【００３３】
室内熱交換器９の前後の下部には冷房または除湿時に室内熱交換器９から落下した結露を捕集するドレンパン１０が設けられている。前方のドレンパン１０はフロントパネル３に取り付けられ、後方のドレンパン１０はキャビネット２と一体に形成されている。送風経路６内の吹出口５の第１開口部５ａの近傍には、外部に臨んで垂直方向の吹出角度を略水平乃至下方向に変更可能な横ルーバ１１ａ、１１ｂが設けられている。横ルーバ１１ａ、１１ｂの奥側には左右方向の吹出角度を変更可能な縦ルーバ１２が設けられている。
【００３４】
第２開口部５ｂは送風経路６から上方に傾斜して分岐する分岐通路１３により送風経路６と連通している。分岐通路１３の両端には回動軸１４ａ、１５ａでフロントパネル３に枢支される回動板１４、１５が設けられている。回動板１５により分岐通路１３を閉じると、回動板１５が送風経路６の内壁面を形成して気流を案内する。これにより、送風経路６を流通する空気の流通抵抗の増加を防止するようになっている。
【００３５】
上記構成の空気調和機において、空気調和機の運転を開始すると、送風ファン７が回転駆動され、室外機（不図示）からの冷媒が室内熱交換器９へ流れて冷凍サイクルが運転される。また、開閉板１９が回動して吸込口４ｃが開放される。これにより、室内機１内には吸込口４ａ、４ｃから空気が吸い込まれ、エアフィルタ８によって空気中に含まれる塵埃が除去される。
【００３６】
室内機１内に取り込まれた空気は室内熱交換器９と熱交換し、冷却または加熱される。そして、送風経路６を通って縦ルーバ１２及び横ルーバ１１ａ、１１ｂによって左右及び上下方向に向きを規制されて吹出口５から矢印Ａ１に示すように略水平方向乃至下方向に向けて室内に送出される。
【００３７】
また、空気調和機の運転の開始直後は速やかに室内の空気を循環させる必要がある。このため、送風ファン７の回転速度を高くして室内熱交換器９で熱交換された空気は吹出口５から勢いよく送出される。室温と設定温度との温度差が小さくなったことを温度センサにより検知すると、送風ファン７の制御により徐々に送風量が低下する。
【００３８】
そして、図２に示すように、横ルーバ１１ａ、１１ｂが回動して第１開口部５ａが閉塞され、回動板１４、１５が回動して第２開口部５ｂ及び分岐通路１３の分岐部分が開放される。また、開閉板１９が回動して吸込口４ｃが閉塞される。これにより、吸込口４ａから取り込まれた空気が送風経路６及び分岐通路１３を流通して第２開口部５ｂから送出され、矢印Ａ２に示すように上方に導かれる。従って、使用者に常に冷たい風や暖かい風が当たることがなく、使用者の不快感を防止して快適性を向上することができる。更に、冷房時には局所的に使用者の体温を低下させることがなく健康上の安全性を向上することができる。
【００３９】
また、第２開口部５ｂから上方に送出される調整空気はフロントパネル３の前面を通過するが、フロントパネル３の前面側が開閉板１９により遮蔽されているためショートサーキットを生じることがない。従って、空気調和機の冷却効率または暖房効率の低下を防止することができる。また、ショートサーキットが発生しないため、フロントパネル３の表面の結露や室内熱交換器９の表面に付着した結露水の凍結及び成長を防止できる。従って、結露水や凍結した氷が解けた水の室内へ放出を防止することができるとともに、成長した氷の押圧力によるキャビネット２やフロントパネル３等の変形や破損を防止することができる。
【００４０】
また、開閉板１９を閉じると、開閉板１９の内面は室内機１内に取り込まれた空気と接触し、開閉板１９の外面は吹出口から送出された空気と接触する。このため、開閉板１９の両面の温度差により結露が生じやすくなるが、発泡樹脂や空気層を有する中空の部材等から成る断熱材を開閉板１９に固着すると、結露を防止できるのでより望ましい。
【００４１】
更に、開閉板１９により吸込口４ｃが開放されるので、第１開口部５ａから略水平方向乃至下方向に調和空気を送出する際に開閉板１９を開放することによって充分な風量を確保することができる。従って、運転効率の低下を防止できるとともに、充分な風量を確保するために送風ファン７の回転数を増加させる必要がなく、騒音の増大を防止することができる。室内機１と室内の天井との空間が狭く吸込口４ａからの吸気量が少ない場合に上記効果はより大きくなる。
【００４２】
尚、空気調和機によって除湿運転を行う際も同様に、室内熱交換器９との熱交換により除湿された低温の空気を上方に送出することにより上記と同様の効果を得ることができる。また、空気調和機は、室内熱交換器内に蒸発部と凝縮部とを備えた再熱ドライ方式の除湿装置であってもよい。即ち、再熱ドライ方式の除湿装置は、蒸発部で熱交換により冷却除湿された空気が凝縮部で熱交換により昇温されて室内に送出される。この時、凝縮器で昇温しても尚、体温よりも低温の空気が常に使用者に当たることを防止することができる。
【００４３】
次に、図３は第２実施形態の空気調和機の室内機を示す概略側面断面図である。前述の図１、図２に示す第１実施形態と同様の部分には同一の符号を付している。本実施形態は、前面側の吸込口４ｃの略全体を覆うように回動軸２０ａでフロントパネル３に枢支された開閉板２０により吸込口４ｃが開閉されるようになっている。その他の部分は第１実施形態と同一である。
【００４４】
上記と同様に、空気調和機の運転を開始すると、開閉板２０の回動により吸込口４ｃが開放されて室内の空気が吸込口４ａ、４ｃから室内機１内に吸い込まれる。室内機１に取り込まれた空気は室内熱交換器９と熱交換し、冷却または加熱される。そして、送風経路６を通って縦ルーバ１２及び横ルーバ１１ａ、１１ｂによって左右及び上下方向に向きを規制されて吹出口５から矢印Ａ１に示すように略水平方向乃至下方向に向けて室内に送出される。
【００４５】
室温と設定温度との温度差が小さくなったことを温度センサにより検知すると、送風ファン７の調整により徐々に送風量が低下する。そして、図４に示すように、横ルーバ１１ａ、１１ｂが回動して第１開口部５ａが閉塞され、回動板１４、１５が回動して第２開口部５ｂ及び分岐通路１３の分岐部分が開放される。同時に、開閉板２０が回動して吸込口４ｃが閉塞される。これにより、送風経路６を流通する調整空気は分岐通路１３を流通して第２開口部５ｂから矢印Ａ２に示すように上方に送出される。従って、第１実施形態と同様に、使用者の不快感を防止するとともに、空気量の低下を招くことなくショートサーキットを防止することができる。
【００４６】
次に、図５は第３実施形態の空気調和機の室内機を示す概略側面断面図である。前述の図１、図２に示す第１実施形態と同様の部分には同一の符号を付している。第１実施形態と異なる点は、フロントパネル３にスライド移動する複数の移動板２１を設けて移動板２１の移動によって吸込口４ｃを開閉している点である。その他の部分は第１実施形態と同一である。
【００４７】
空気調和機の運転を開始すると、移動板２１により吸込口４ｃが開放されて吸込口４ａ、４ｃから室内機１内に空気が吸い込まれる。該空気は室内熱交換器９と熱交換し、冷却または加熱される。そして、送風経路６を通って縦ルーバ１２及び横ルーバ１１ａ、１１ｂによって左右及び上下方向に向きを規制されて吹出口５から矢印Ａ１に示すように略水平方向乃至下方向に向けて室内に送出される。
【００４８】
室温と設定温度との温度差が小さくなったことを温度センサにより検知すると、送風ファン７の調整により徐々に送風量が低下する。そして、図６に示すように、横ルーバ１１ａ、１１ｂが回動して第１開口部５ａが閉塞され、回動板１４、１５が回動して第２開口部５ｂ及び分岐通路１３の分岐部分が開放される。同時に、移動板２１が移動して吸込口４ｃが閉塞される。これにより、送風経路６を流通する調整空気は分岐通路１３を流通して第２開口部５ｂから矢印Ａ２に示すように上方に送出される。従って、第１実施形態と同様に、使用者の不快感を防止するとともに、空気量の低下を招くことなくショートサーキットを防止することができる。
【００４９】
次に、図７は第４実施形態の空気調和機の室内機を示す概略斜視図である。前述の図１、図２に示す第１実施形態と同様の部分には同一の符号を付している。本実施形態は、フロントパネル３の前面に蛇腹状に折り畳み可能な開閉板２２を設けている。開閉板２２により吸込口４ｃを開閉することができるようになっている。その他の部分は第１実施形態と同一である。
【００５０】
開閉板２２を開放して吸込口４ａ、４ｃから室内機１内に取り込まれた空気は吹出口の第１開口部５ａから矢印Ａ１に示すように略水平方向乃至下方に送出される。室温と設定温度との温度差が小さくなったことを温度センサにより検知すると、図８に示すように、第１開口部５ａが閉塞され、第２開口部５ｂが開放される。同時に、開閉板２２により吸込口４ｃが閉塞されて第２開口部５ｂから矢印Ａ２に示すように調整空気が上方に送出される。従って、第１実施形態と同様に、使用者の不快感を防止するとともに、空気量の低下を招くことなくショートサーキットを防止することができる。
【００５１】
次に、図９は第５実施形態の空気調和機の室内機を示す概略側面断面図である。前述の図１、図２に示す第１実施形態と同様の部分には同一の符号を付している。第１実施形態と異なる点は、吸込口４ｃをフロントパネル３の上部の１箇所に配置し、吸込口４ｃを開閉可能な開閉板１６を枢支軸１６ａでフロントパネル３に枢支している点である。その他の部分は第１実施形態と同一である。
【００５２】
開閉板１６を開いて吸込口４ａ、４ｃから室内機１内に取り込まれた空気は吹出口５の第１開口部５ａから矢印Ａ１に示すように略水平方向乃至下方に送出される。室温と設定温度との温度差が小さくなったことを温度センサにより検知すると、図１０に示すように、横ルーバ１１ａ、１１ｂにより第１開口部５ａが閉塞され、回動板１４、１５の回動により第２開口部５ｂ及び分岐通路１３が開放される。同時に、開閉板１６により吸込口４ｃが閉じられる。これにより、第２開口部５ｂから矢印Ａ２に示すように調整空気が上方に送出される。従って、第１実施形態と同様に、使用者の不快感を防止するとともに、空気量の低下を招くことなくショートサーキットを防止することができる。
【００５３】
【発明の効果】
本発明によると、冷房運転または除湿運転時に使用者に常に冷たい風が当たることがなく、使用者の不快感防止による快適性の向上及び健康上の安全性の向上を図ることができるとともに、ショートサーキットを防止できる。従って、冷房運転または除湿運転時に冷却効率を向上させることができる。また、ショートサーキットが発生しないため、冷房運転時や除湿運転時に結露水の凍結及び成長を防止できる。従って、結露水や凍結した氷が解けた水による室内への水の放出を防止することができるとともに、成長した氷の押圧力による空気調和機の変形や破損を防止することができる。
【００５４】
また本発明によると、開閉部材は、吹出口から下方に空気を送出する際に該吸込口を開放するとともに吹出口から上方に空気を送出する際に該吸込口を閉塞するので、ショートサーキットを防止するとともに下方向に調和空気を送出する際に充分な風量を確保することができる。従って、運転効率の低下を防止できるとともに、充分な風量を確保するために送風ファンの回転数を増加させる必要がなく、騒音の増大を防止することができる。
【００５６】
また本発明によると、開閉部材に断熱材を設けているので、開閉部材の両面の温度差による結露を更に防止することができる。
【図面の簡単な説明】
【図１】  本発明の第１実施形態の空気調和機の室内機を示す概略側面断面図である。
【図２】  本発明の第１実施形態の空気調和機の室内機の動作を示す概略側面断面図である。
【図３】  本発明の第２実施形態の空気調和機の室内機を示す概略側面断面図である。
【図４】  本発明の第２実施形態の空気調和機の室内機の動作を示す概略側面断面図である。
【図５】  本発明の第３実施形態の空気調和機の室内機を示す概略側面断面図である。
【図６】  本発明の第３実施形態の空気調和機の室内機の動作を示す概略側面断面図である。
【図７】  本発明の第４実施形態の空気調和機の室内機を示す概略側面断面図である。
【図８】  本発明の第４実施形態の空気調和機の室内機の動作を示す概略側面断面図である。
【図９】  本発明の第５実施形態の空気調和機の室内機を示す概略側面断面図である。
【図１０】本発明の第５実施形態の空気調和機の室内機の動作を示す概略側面断面図である。
【図１１】従来の空気調和機の室内機を示す概略側面断面図である。
【図１２】他の従来の空気調和機の室内機を示す概略側面断面図である。
【図１３】他の従来の空気調和機の室内機の動作を示す概略側面断面図である。
【符号の説明】
１    室内機
２    キャビネット
３    フロントパネル
４ａ、４ｃ  吸込口
５    吹出口
５ａ  第１開口部
５ｂ  第２開口部
６    送風経路
７    送風ファン
８    エアフィルタ
９    室内熱交換器
１０    ドレンパン
１１ａ、１１ｂ  横ルーバ
１２    縦ルーバ
１３    分岐通路
１４、１５  回動板
１６、１９、２０、２２  開閉板
２１    移動板
【図１】
0003986280.tif 000002
【図２】
0003986280.tif 000003
【図３】
0003986280.tif 000004
【図４】
0003986280.tif 000005
【図５】
0003986280.tif 000006
【図６】
0003986280.tif 000007
【図７】
0003986280.tif 000008
【図８】
0003986280.tif 000009
【図９】
0003986280.tif 000010
【図１０】
0003986280.tif 000011
【図１１】
0003986280.tif 000012
【図１２】
0003986280.tif 000013
【図１３】
0003986280.tif 000014